(57)【要約】【課題】利用者にとって、装置の構造や動作を理解しやすく、心理的抵抗感が少ない静脈認証装置を提供する。【解決手段】生体の指１に対して近赤外光を照射する近赤外光源４と、生体の指１を透過した近赤外光を感知して、生体の指１の静脈パターンを撮像する撮像装置７とを備えた静脈認証装置に於いて、近赤外光源４による近赤外光の照射の経路を明示させるべく、生体の指１に対して可視光を照射する可視光源３を設けた静脈認証装置を提供する。更に、静脈認証装置には、撮像装置７による撮像の瞬間は、近赤外光源４のみを点灯させ、可視光源３を消灯するように制御する制御装置（ＣＰＵ１１）が設けられる。【選択図】図１
2010066944.tif 000002
【特許請求の範囲】
【請求項１】
生体の指に対して近赤外光を照射する近赤外光源と、生体の指を透過した近赤外光を感知して、生体の指の静脈パターンを撮像する撮像装置とを備えた静脈認証装置に於いて、前記近赤外光源による近赤外光の照射の経路を明示させるべく、生体の指に対して可視光を照射する可視光源を設けたことを特徴とする静脈認証装置。
【請求項２】
前記撮像装置による撮像の瞬間は、前記近赤外光源のみを点灯させ、前記可視光源を消灯するように制御する制御装置を設けたことを特徴とする請求項１記載の静脈認証装置。
【請求項３】
生体の指に対して近赤外光を照射する近赤外光源と、生体の指を透過した近赤外光を感知して、生体の指の静脈パターンを撮像する撮像装置とを備えた静脈認証装置に於いて、前記近赤外光源の光の照射の経路を明示させるべく、生体の指に対して可視光を照射することを特徴とする静脈認証方法。
【請求項４】
前記撮像装置による撮像の瞬間は、近赤外光のみを照射し、可視光を照射しないことを特徴とする請求項３記載の静脈認証方法。
【発明の詳細な説明】
【技術分野】
【０００１】
本発明は、静脈パターンを利用して個人の認証を行うために使用する静脈認証装置および静脈認証方法に関するものである。
【背景技術】
【０００２】
近赤外光はヘモグロビンなどの色素以外の生体組織を比較的良く透過する。このため生体部位に近赤外光を透過させると、静脈を流れるヘモグロビンが近赤外光を吸収するため、血管部分が周辺組織に比べて暗く写る。この明暗の差による紋様が静脈パターンとなる。このような生体内部の静脈パターンは、近赤外光源によって対象部位を照らし、それを近赤外光を感知するカメラもしくはイメージセンサなどで撮像することで得られる。
【０００３】
例えば、特許文献１には、指の血管パターンを利用して個人認証を行う技術が開示されており、特許文献２には、手の甲の静脈パターンを利用した個人認証技術が開示されている。これらの技術は、指または手の甲に光を照射し、照射した光の反射光ないし透過光を撮像して、撮像された画像から血管パターンを抽出し、予め登録しておいた静脈パターンと撮像された静脈パターンのマッチングをとることにより個人認証を行うという技術である。
【特許文献１】特開平７−２１３７３号公報
【特許文献２】特開平１０−２９５６７４号公報
【発明の開示】
【発明が解決しようとする課題】
【０００４】
このような静脈認証装置においては、人の目では認識できない近赤外光を用いて静脈パターンの撮像を行うために、いつ、どの方向から光が照射されて撮像が行われるかを利用者は認識することはできない。このため、利用者が認証装置の構造や動作を理解することは難しい。また、人の目に見えない手段を用いて生体情報を撮像することは、利用者に心理的抵抗感を与えることになる。
【０００５】
以上の現状に鑑み、本発明は、利用者にとって、装置の構造や動作を理解しやすく、心理的抵抗感が少ない静脈認証装置及び静脈認証方法を提供することを目的とする。
【課題を解決するための手段】
【０００６】
上記の課題を解決すべく、本発明は以下の構成を提供する。
請求項１に係る発明は、生体の指に対して近赤外光を照射する近赤外光源と、生体の指を透過した近赤外光を感知して、生体の指の静脈パターンを撮像する撮像装置とを備えた静脈認証装置に於いて、前記近赤外光源による近赤外光の照射の経路を明示させるべく、生体の指に対して可視光を照射する可視光源を設けたことを特徴とする静脈認証装置を提供するものである。
請求項２に係る発明は、前記撮像装置による撮像の瞬間は、前記近赤外光源のみを点灯させ、前記可視光源を消灯するように制御する制御装置を設けたことを特徴とする請求項１記載の静脈認証装置を提供するものである。
【０００７】
請求項３に係る発明は、生体の指に対して近赤外光を照射する近赤外光源と、生体の指を透過した近赤外光を感知して、生体の指の静脈パターンを撮像する撮像装置とを備えた静脈認証装置に於いて、前記近赤外光源の光の照射の経路を明示させるべく、生体の指に対して可視光を照射することを特徴とする静脈認証方法を提供するものである。
請求項４に係る発明は、前記撮像装置による撮像の瞬間は、近赤外光のみを照射し、可視光を照射しないことを特徴とする請求項３記載の静脈認証方法を提供するものである。
【発明の効果】
【０００８】
本発明によれば、利用者にとって、認証装置の構造や動作が理解しやすく、心理的抵抗感を抱かせることなく、静脈パターンを撮像することが可能となる。また、利用者に生体情報を取得する手段を明示することで、利用者が認識しないうちに、不正な目的をもって生体情報を取得する装置と区別することができる。
【発明を実施するための最良の形態】
【０００９】
以下、実施例を示した図面を参照しつつ本発明の実施の形態を説明する。
図１は、本発明を実現するための静脈認証装置のシステム構成の例である。
本発明の静脈認証装置は、利用者が指１を挿入するための挿入穴２ａを備えた認証装置本体２と、指１に対して近赤外光を照射する近赤外光源４と、指１を透過した近赤外光を感知して、指の静脈パターンを撮像する撮像装置７とを備え、更に、近赤外光源４の照射を擬似的に明示させるべく、指１に対して可視光を照射する可視光源３が設けられている。
【００１０】
そして、前記撮像装置７は、画像入力手段８と、ＣＰＵ１１に順次接続され、ＣＰＵ１１は、メモリ９と、予め静脈パターンの画像等を登録する記憶装置１０と、表示部１２とに接続されている。
尚、前記近赤外光源４と、可視光源３の点滅制御は、前記ＣＰＵ１１によって行なわれる。
更に、図に於いて、６は近赤外光のみを透過させる近赤外透過フィルタである。
【００１１】
利用者は認証時に指１を認証装置本体２の挿入穴２ａに挿入する。指１が認証装置本体２の挿入穴２ａに挿入されると認証処理が開始される。
可視光源３と近赤外光源４は、別々に実装してもよいし、２色発光ＬＥＤを使用してもよい。
【００１２】
図２は、近赤外光源と可視光源を別々に実装する場合の設置例である。別々に実装する場合は、画像の精度に影響を与える近赤外光源４を最適な位置に設置する。可視光源３は、近赤外光源４に近接して設置し、また、可視光源３から照射される光と近赤外光源４から照射される光の方向が一致するように設置する。
【００１３】
図３は、本発明の静脈認証装置を用いた認証処理のフローを示す図である。
認証処理は次の手順で実行される。可視光源３を消灯し、近赤外光源４を点灯させる（３０１）。近赤外光源４より照射された近赤外光は、挿入穴２ａに挿入された指１を透過し、撮像窓５を透過し、近赤外光のみを透過させる近赤外透過フィルタ６を透過して撮像装置７に到達する。このとき、静脈の血液で近赤外光が吸収されるため、指外部に放射される近赤外光を撮像すると静脈パターンを撮像することができる。
【００１４】
光は撮像装置７により電気信号に変換され、画像入力手段８を介し撮像画像としてメモリ９に取り込まれる（３０２）。この時点で、近赤外光源４を消灯し、可視光源３を点灯させる（３０３）。撮像画像は、指の太さや外光の影響により、明るすぎて白飛びした画像や、暗すぎて静脈パターンが鮮明でない画像となり、照合処理に適さない画像が得られる場合がある。このため、メモリ９に格納されたプログラムによりＣＰＵ１１は、撮像画像が照合処理に適した画像かを判定する（３０４）。照合処理に適した撮像画像でないと判断された場合は、近赤外光源４の出力を調節した後、再度、処理３０１から実行する（３０５）。照合処理に適した撮像画像であると判断された場合は、事前に登録されている静脈パターンの画像を記憶装置１０よりメモリ９に格納し、メモリ９に格納されたプログラムによりＣＰＵ１１は撮像画像と事前に登録されている画像との照合を行う。照合処理では比較する２枚の画像間の相関値を算出し、その値に応じて登録されている画像と一致するかを判定し、個人を特定する（３０６）。この結果に応じた出力を表示部１２に対して行う（３０７）。
尚、近赤外光源４と、可視光源３の点灯、消灯は、前記メモリ９に格納されたプログラムを読み込んだ制御装置であるＣＰＵ１１の制御により行なわれる。
【００１５】
以上の方法によると、撮像する瞬間は近赤外光源だけを点灯することにより、指静脈パターンを得るのにノイズとなる可視光を減らすことができ、消費電力量を減らすことができる。また、撮像する瞬間以外は可視光源を点灯するので、近赤外光の経路を利用者に明示することができる。撮像に要する時間は、一連の認証処理に要する時間に比べて極めて短い時間であるため、人の目には可視光源は常時点灯しているように見える。
【００１６】
尚、前述の説明では、認証精度を高めるために撮像時に可視光源３を消灯しているが、図１の近赤外透過フィルタ６のように、可視光によるノイズを軽減する手段が設けられている場合は、撮像時に可視光源３を点灯させてもよい。
【図面の簡単な説明】
【００１７】
【図１】本発明による静脈認証装置のシステム構成例の説明図である。
【図２】本発明による静脈認証装置の近赤外光源と可視光源を別々に実装する場合の説明図である。
【図３】本発明による静脈認証装置の認証処理のフローチャート図である。
【符号の説明】
【００１８】
１  指
３  可視光源
４  近赤外光源
７  撮像装置
【図１】
2010066944.tif 000003
【図２】
2010066944.tif 000004
【図３】
2010066944.tif 000005